(57)【要約】【課題】多数のアウト玉が同時に押し寄せてきても目詰まりし難いアウト玉回収装置を提供する。【解決手段】パチンコ台又はその付属装置に取り付け可能であって、１個のアウト玉の直径よりも大きい直径を有する上方の開口と、各々アウト玉を１個ずつ排出することができる２つ以上の下方の開口と、を備え、パチンコ台のアウト玉排出口から落下してきたアウト玉を上方の開口から取り込み、この取り込んだアウト玉を２つ以上の下方の開口からそれぞれ排出する、ことを特徴とするアウト玉回収装置である。【選択図】図５
2012055645.tif 000002
【特許請求の範囲】
【請求項１】
パチンコ台又はその付属装置に取り付け可能であって、
１個のアウト玉の直径よりも大きい直径を有する上方の開口と、
各々アウト玉を１個ずつ排出することができる２つ以上の下方の開口と、
を備え、
パチンコ台のアウト玉排出口から落下してきたアウト玉を前記上方の開口から取り込み、この取り込んだアウト玉を前記２つ以上の下方の開口からそれぞれ排出する、
ことを特徴とするアウト玉回収装置。
【請求項２】
請求項１に記載のアウト玉回収装置であって、さらに、前記上方の開口から取り込んだアウト玉を前記２つ以上の下方の開口へそれぞれ振り分ける振分部を具備することを特徴とするアウト玉回収装置。
【請求項３】
請求項２に記載のアウト玉回収装置であって、さらに、２つ以上の下方の開口へそれぞれ振り分けられたアウト玉同士が干渉しないように装置内部を仕切る仕切部を具備することを特徴とするアウト玉回収装置。
【請求項４】
請求項１〜請求項３のいずれか１項に記載のアウト玉回収装置であって、さらに、前記２つ以上の下方の開口のそれぞれにアウト玉を検出するセンサを取り付けたことを特徴とするアウト玉回収装置。
【請求項５】
前記上方の開口を所定の軸方向において移動可能にすることを特徴とする請求項１〜請求項４のいずれか１項に記載のアウト玉回収装置。
【請求項６】
前記上方の開口を傾斜可能にすることを特徴とする請求項１〜請求項５のいずれか１項に記載のアウト玉回収装置。
【発明の詳細な説明】
【技術分野】
【０００１】
本発明は、パチンコ台、パチンコ台機能を含む遊技装置に用いるアウト玉回収装置に関する。
【背景技術】
【０００２】
従来、アウト玉排出口から落下してくるアウト玉を受け皿により受け取って貯溜し、この受け皿に貯溜したアウト玉を落下孔からアウト玉回収樋に排出するパチンコ玉収容器が提案された。このパチンコ玉収容器においては、落下孔を通過するパチンコ玉の量が検出される（特許文献１参照）。
【先行技術文献】
【特許文献】
【０００３】
【特許文献１】実公平４−３２１３４号公報
【発明の概要】
【発明が解決しようとする課題】
【０００４】
しかしながら、上記従来のパチンコ玉収容器では、大量のアウト玉が落下孔に同時に押し寄せてきた場合、落下孔が目詰まりしてしまい、アウト玉がパチンコ玉収容器から溢れてしまう、あるいは、アウト玉の数やアウト玉が排出されたタイミングを正確に測定することが困難になるという問題があった。
【０００５】
そこで、本発明は、多数のアウト玉が同時に押し寄せてきても目詰まりし難いアウト玉回収装置を提供することを目的とする。
【課題を解決するための手段】
【０００６】
本発明によれば、上記課題は、次の手段により解決される。
【０００７】
本発明は、パチンコ台又はその付属装置に取り付け可能であって、１個のアウト玉の直径よりも大きい直径を有する上方の開口と、各々アウト玉を１個ずつ排出することができる２つ以上の下方の開口と、を備え、パチンコ台のアウト玉排出口から落下してきたアウト玉を前記上方の開口から取り込み、この取り込んだアウト玉を前記２つ以上の下方の開口からそれぞれ排出する、ことを特徴とするアウト玉回収装置である。
【０００８】
また、本発明は、上記のアウト玉回収装置であって、さらに、前記上方の開口から取り込んだアウト玉を前記２つ以上の下方の開口へそれぞれ振り分ける振分部を具備することを特徴とするアウト玉回収装置である。
【０００９】
また、本発明は、上記のアウト玉回収装置であって、さらに、２つ以上の下方の開口へそれぞれ振り分けられたアウト玉同士が干渉しないように装置内部を仕切る仕切部を具備することを特徴とするアウト玉回収装置である。
【００１０】
また、本発明は、上記のアウト玉回収装置であって、さらに、前記２つ以上の下方の開口のそれぞれにアウト玉を検出するセンサを取り付けたことを特徴とするアウト玉回収装置である。
【００１１】
また、本発明は、前記上方の開口を所定の軸方向において移動可能にすることを特徴とする上記のアウト玉回収装置である。
【００１２】
また、本発明は、前記上方の開口を傾斜可能にすることを特徴とする上記のアウト玉回収装置である。
【発明の効果】
【００１３】
本発明によれば、多数のアウト玉が同時に押し寄せてきても目詰まりし難いアウト玉回収装置を提供することができる。
【図面の簡単な説明】
【００１４】
【図１】本発明の実施形態に係るアウト玉回収装置をパチンコ台の背面にある受け皿に取り付けた様子を示す図である。
【図２】本発明の実施形態に係るアウト玉回収装置の斜視図である。
【図３】第１例に係る回収容器を説明する図であり、（ａ）は平面図、（ｂ）は斜視図、（ｃ）はＡ−Ａ断面図、（ｄ）は底面図である。
【図４】第２例に係る回収容器を説明する図であり、（ａ）は平面図、（ｂ）は斜視図、（ｃ）はＢ−Ｂ断面図、（ｄ）は底面図である。
【図５】第３例に係る回収容器を説明する図であり、（ａ）は平面図、（ｂ）は斜視図、（ｃ）はＣ−Ｃ断面図、（ｄ）は底面図である。
【図６】本発明の実施形態に係る保持部及び取付部の分解斜視図である。
【図７】保持部が回収容器を上下移動可能にする様子を説明する図である。
【図８】保持部が回収容器を傾斜可能にする様子を説明する図である。
【発明を実施するための形態】
【００１５】
以下に、添付した図面を参照しつつ、本発明を実施するための形態を説明する。
【００１６】
図１は、本発明の実施形態に係るアウト玉回収装置をパチンコ台の背面にある受け皿に取り付けた様子を示す図である。
【００１７】
図１に示すように、本発明の実施形態に係るアウト玉回収装置１０は、パチンコ台２０の背面に設けられた受け皿３０に取り付けられる。従来、パチンコ台２０の背面から排出されるアウト玉は、受け皿３０により回収されてきたが、本発明の実施形態では、この受け皿３０に代わり、本発明の実施形態に係るアウト玉回収装置１０がパチンコ台２０の背面から排出されるアウト玉を回収する。本発明の実施形態に係るアウト玉回収装置１０により回収されたアウト玉は、受け皿３０を通って、アウト玉樋４０に排出される。
【００１８】
本発明に係るアウト玉回収装置１０は、パチンコ台２０又はその付属装置に取り付け可能に構成される。上記の受け皿３０は、パチンコ台２０の付属装置の一例であり、本発明に係るアウト玉回収装置１０は、パチンコ台１０に付属している受け皿３０以外の付属装置に取り付けることもできる。本発明に係るアウト玉回収装置１０は、パチンコ台２０に直接取り付けることもできる。
【００１９】
図２は、本発明の実施形態に係るアウト玉回収装置の斜視図である。
図２に示すように、本発明の実施形態に係るアウト玉回収装置１０は、回収容器１１と、保持部１２と、取付部１３と、を具備している。回収容器１１が保持部１２に取り付けられ、保持部１２が取付部１３に取り付けられ、取付部１３が受け皿３０に取り付けられることにより、本発明の実施形態に係るアウト玉回収装置１０は受け皿３０に取り付けられる。回収容器１１の下方に形成された開口には、パチンコ玉を検出するセンサが取り付けられる（図３〜５参照）。
【００２０】
回収容器１１は、図２中の矢印で示すように上下左右に移動させることができ、また、傾斜させることができる。したがって、本発明の実施形態に係るアウト玉回収装置１０によれば、パチンコ台背面のアウト玉排出口２１に対して回収容器１１を適切に位置させることができ、アウト玉排出口２１から排出されるアウト玉をほぼ漏れることなく回収することができる。
【００２１】
なお、アウト玉排出口の位置や形状はパチンコ台の機種ごとに異なるが、上記のように、本発明の実施形態に係るアウト玉回収装置１０によれば、上下左右への移動や傾斜により、アウト玉が排出されるアウト玉排出口２１に対して回収容器１１を適切に位置させることができる。したがって、本発明の実施形態に係るアウト玉回収装置１０は、パチンコ台の異なる機種間で用いることができる。
【００２２】
［回収容器］
次に、本発明の実施形態に係る回収容器について説明する。
【００２３】
（第１例に係る回収容器）
図３は、第１例に係る回収容器を説明する図であり、（ａ）は平面図、（ｂ）は斜視図、（ｃ）はＡ−Ａ断面図、（ｄ）は底面図である。第１例の理解を容易にするため、図３（ａ）においては、傾斜している部分を波線で示している。また、図３（ｃ）のＡ−Ａ断面図には、パチンコ玉の流れの一例を示している。
【００２４】
図３に示すように、第１例に係る回収容器１１−１は、１個のアウト玉の直径よりも大きい直径を有する上方の開口１１ａと、各々アウト玉を１個ずつ排出することができる２つの下方の開口１１ｂとを備えている。
【００２５】
また、図３に示すように、第１例に係る回収容器１１−１は、パチンコ台２０のアウト玉排出口２１から落下してきたアウト玉を上方の開口１１ａから取り込み、この取り込んだアウト玉を２つの下方の開口１１ｂからそれぞれ排出する。
【００２６】
このように、第１例に係る回収容器１１−１を備えたアウト玉回収装置１０によれば、上方の開口１１ａから取り込んだアウト玉を２つの下方の開口１１ｂにより分散して排出することができるため、下方の開口１１ｂが１つしかない従来の受け皿２０と比較して、多数のアウト玉が同時に押し寄せてきても目詰まりし難いアウト玉回収装置１０を提供することができる。
【００２７】
（第２例に係る回収容器）
図４は、第２例に係る回収容器を説明する図であり、（ａ）は平面図、（ｂ）は斜視図、（ｃ）はＢ−Ｂ断面図、（ｄ）は底面図である。第２例の理解を容易にするため、図４（ａ）においては、傾斜している部分を波線で示している。また、図４（ｃ）のＢ−Ｂ断面図には、パチンコ玉の流れの一例を示している。
【００２８】
図４に示すように、第２例に係る回収容器１１−２は、第１例に係る回収容器１１−１において振分部１１ｃを設けたものである。本発明の実施形態に係る振分部１１ｃは、三角柱状に構成されており、三角柱の上面と底面とが第２例に係る回収容器１１−２の側面に接するように設けられる。
【００２９】
図４に示すように、第２例に係る回収容器１１−２によれば、振分部１１ｃにより、上方の開口１１ａから取り込んだアウト玉を２つの下方の開口１１ｂへそれぞれ振り分けることができる。
【００３０】
このように、第２例に係る回収容器１１−２を備えたアウト玉回収装置１０によれば、振分部１１ｃにより、上方の開口１１ａから取り込んだアウト玉が２つの下方の開口１１ｂへそれぞれ振り分けられ、２つ設けた下方の開口１１ｂの両方へより均等に方向付けられるので、２つの下方の開口１１ｂのうちの１つにアウト玉が集中してしまう事態を回避して、上方の開口１１ａから取り込んだアウト玉を２つの下方の開口１１ｂによってより一層分散して排出することができるようになる。したがって、第２例に係る回収容器１１−２を備えたアウト玉回収装置１０によれば、より一層目詰まりし難いアウト玉回収装置１０を提供することができる。
【００３１】
（第３例に係る回収容器）
図５は、第３例に係る回収容器を説明する図であり、（ａ）は平面図、（ｂ）は斜視図、（ｃ）はＣ−Ｃ断面図、（ｄ）は底面図である。第３例の理解を容易にするため、図５（ａ）においては、傾斜している部分を波線で示している。また、図５（ｃ）のＣ−Ｃ断面図には、パチンコ玉の流れの一例を示している。
【００３２】
図５に示すように、第３例に係る回収容器１１−３は、第２例に係る回収容器１１−２において仕切部１１ｄを設けたものである。第３例において、仕切部１１ｄは、振分部１１ｃと一体化している。
【００３３】
また、図５に示すように、第３例に係る回収容器１１−３によれば、仕切部１１ｄにより、２つの下方の開口１１ｂへそれぞれ振り分けられたアウト玉同士が干渉しないように装置内部が仕切られる。
【００３４】
このように、第３例に係る回収容器１１−３を備えたアウト玉回収装置１０によれば、上方の開口１１ａから取り込まれたアウト玉が、仕切部１１ｄにより、２つの下方の開口１１ｂへより均等に振り分けられ、振り分けられたアウト玉同士が干渉しないように装置内部が仕切られるため、２つの下方の開口１１ｂのうちの一方へ振り分けられたアウト玉が振り分け後に他方の下方の開口１１ｂへ転がっていくなどの事態を回避して、上方の開口１１ａから取り込んだアウト玉を２つの下方の開口１１ｂによってより一層分散して排出することができるようになる。したがって、第３例に係る回収容器１１−３を備えたアウト玉回収装置１０によれば、より一層目詰まりし難いアウト玉回収装置１０を提供することができる。
【００３５】
なお、上記の説明では、仕切部１１ｄを振分部１１ｃと一体化したものとして構成したが、仕切部１１ｄは振分部１１ｃとは別個のものとして構成することもできる。
【００３６】
また、上記の説明では、第１例〜第３例に係る回収容器が下方の開口１１ｂを２つ備えている形態について説明したが、本発明に係る回収容器には、２つ以上の下方の開口を備えさせることができる。
【００３７】
［センサ］
以上説明した第１例〜第３例に係る回収容器のいずれにおいても、回収容器の下面における開口１１ｂの縁にパチンコ玉を検出するセンサ１４が取り付けられる。
【００３８】
本発明の実施形態に係るアウト玉回収装置１０によれば、下方の開口１１ｂにおいてアウト玉が目詰まりし難くなるため、回収容器１１の下面において、当該下方の開口１１ｂの縁にパチンコ玉を検出するセンサ１４を取り付けることにより、アウト玉の数やアウト玉が排出されたタイミングを正確に測定することができるようになる。
【００３９】
従来のパチンコ玉収容器では、アウト玉排出口の位置がパチンコ台の機種によってまちまちであることに鑑み、アウト玉排出口がどのような位置に設けられていてもアウト玉を漏れなく回収できるよう、アウト玉を一旦受け皿に貯溜することとし、この受け皿に収納したアウト玉をスロープを介してアウト玉回収樋に流し込む方式をとっていた。そして、この従来のパチンコ玉収容器は、スロープの端（アウト玉回収樋側）にある落下孔に測定装置を設けてパチンコ玉の量を計数する。
【００４０】
しかしながら、このような計数方法では、落下孔が目詰まりしてしまいアウト玉が溢れたり、貯留時間が長かったりして、排出されてから測定するまでに時間を要してしまうため、アウト玉がアウト玉排出口から排出されたタイミングを正確且つ迅速に捉えることができず、アウト玉回収装置の本来の目的である「より正確に、より早く」回収・計数する機能が十分果たされないという問題があった。
【００４１】
本発明の実施形態に係るアウト玉回収装置１０によれば、２つの下方の開口１１ｂが上方の開口１１ａのほぼ直下に設けられ、回収容器１１の下面において、当該下方の開口１１ｂの縁にパチンコ玉を検出するセンサ１４が設けられるため、アウト玉排出口２１から排出されたアウト玉をただちに検出できるようになる。
【００４２】
よって、本発明の実施形態に係るアウト玉回収装置１０によれば、アウト玉がアウト玉排出口から排出されたタイミングを正確且つ迅速に捉えることができるようになり、アウト玉回収装置１０の本来の目的である「より正確に、より早く」回収・計数する機能を十分に立たすことが可能となる。
【００４３】
なお、センサ１４は、例えば、貫通形近接センサなどにより構成することができる。
【００４４】
［保持部、取付部］
図６は、本発明の実施形態に係る保持部及び取付部の分解斜視図である。
図６に示すように、本発明の実施形態に係る保持部１２には、孔１２ａが４つ形成されている。この孔１２ａには取付部１３が備える軸１３ａが通され、これにより、保持部１２が所定の軸方向（本実施形態では軸１３ａの方向）に移動可能とされる。このように、本発明の実施形態に係る保持部１２によれば、回収容器１１を容易に左右移動させることができる。
【００４５】
また、図６に示すように、本発明の実施形態に係る保持部１２は、２つの切り欠き１２ｂと２つの開口１２ｃとを備えている。保持部１２は、回収容器１１のネジ穴に開口１２ｃを介してネジ１２ｄを取り付けることにより回収容器１１を保持する（図２参照）。また、回収容器１１の突起１１ｅは、切り欠き１２ｂに嵌められる（図２参照）。
【００４６】
図７は、保持部が回収容器を上下移動可能にする様子を説明する図である。
図７に示すように、保持部１２は、保持部１２の開口１２ｃにおけるネジ１２ｄの位置を調整することにより、回収容器１１を上下移動させる。このように、本発明の実施形態に係る保持部１２によれば、回収容器１１を容易に上下移動させることができる。
【００４７】
なお、保持部１２の上下移動は、ネジ１２ｄの位置を調整する方法のほか、ラッチを用いた方法等、可動且つ任意の位置で固定が可能な適宜の手段によって実現することができる。
【００４８】
図８は、保持部が回収容器を傾斜可能にする様子を説明する図である。
図８に示すように、保持部１２は、開口１２ｃの高さ方向におけるネジ１２ｄの位置と切り欠き１２ｂの高さ方向における突起１１ｅの位置とを調整することにより、回収容器１１を傾斜させる。このように、本発明の実施形態に係る保持部１２によれば、回収容器１１を容易に傾斜させることができる。
【００４９】
なお、保持部１２の傾斜は、開口１２ｃの高さ方向におけるネジ１２ｄの位置と切り欠き１２ｂの高さ方向における突起１１ｅの位置とを調整する方法のほか、ヒンジを用いた方法によっても実現することができる。
【００５０】
以上、本発明の実施形態について説明したが、これらの説明は、本発明の一例に関するものであり、本発明は、これらの説明によって何ら限定されるものではない。
【符号の説明】
【００５１】
１０    アウト玉回収装置
１１    回収容器
１１−１    回収容器
１１−２    回収容器
１１−３    回収容器
１１ａ    上方の開口
１１ｂ    下方の開口
１１ｃ    振分部
１１ｄ    仕切部
１１ｅ    突起
１２    保持部
１２ａ    孔
１２ｂ    切り欠き
１２ｃ    開口
１２ｄ    ネジ
１３    取付部
１３ａ    軸
１４    センサ
２０    パチンコ台
２１    アウト玉排出口
３０    受け皿
４０    アウト玉樋
【図１】
2012055645.tif 000003
【図２】
2012055645.tif 000004
【図３】
2012055645.tif 000005
【図４】
2012055645.tif 000006
【図５】
2012055645.tif 000007
【図６】
2012055645.tif 000008
【図７】
2012055645.tif 000009
【図８】
2012055645.tif 000010